(57)【要約】  ドリルに抗する錠前シリンダー（１００）は、ロックやピックを用いてシリンダー（１００）を破ろうとする試みに抵抗するために有用である。シリンダー（１００）は、中心軸を有するシリンダーハウジング（１０５）を含んでいる。２つのピニオンシリンダー（１１５、１２５）が、中心軸に沿ってシリンダーハウジング（１０５）の内側に配置されている。コンビネーションピンシリンダー（１２０）が、中心軸に沿って、二つのピニオンシリンダー（１１５、１２５）の間に配置され、かつ該コンビネーションピンシリンダー（１２０）および各ピニオンシリンダー（１１５、１２５）は、それらを通る軸方向のピン穴（２２０）を含む。コンビネーションピンシリンダー（１２０）およびピニオンシリンダー（１１５、１２５）内の軸方向のピン穴（２２０）の内側に設置されたピン（１３０）は、ピニオンシリンダー（１１５、１２５）の軸方向の端部に沿って、２つの剪断線を確定させる。【選択図】図１
2008512583.tif 000002
【特許請求の範囲】
【請求項１】
ドリルに抗する錠前シリンダーであって、
中心軸を有するシリンダーハウジングを有し、
該中心軸に沿って、シリンダーハウジングの内側に位置する２つのピニオンシリンダーを有し、
該中心軸に沿って、２つのピニオンシリンダーの間に位置するコンビネーションピンシリンダーを有し、該コンビネーションピンシリンダーおよび各ピニオンシリンダーは、それらを通る軸方向のピン穴を含んでおり、
コンビネーションピンシリンダーおよびピニオンシリンダーの中の軸方向のピン穴の内側に位置するピンを有し、それによって、２つの剪断線が、前記ピニオンシリンダーの軸方向の端部に沿って確定している、
前記ドリルに抗する錠前シリンダー。
【請求項２】
ピンが可変長であり、それによって、対応する可変長のピンを有する鍵がハウジングの軸方向端部において挿入されることが可能になっており、かつ、それによって、２つの剪断線に沿って該ピンが揃い、当該シリンダーが解錠された配置形態に置かれている、請求項１記載のドリルに抗する錠前シリンダー。
【請求項３】
さらに、シリンダーハウジングの一方の端部に、アンチドリルディスクを有している、請求項１記載のドリルに抗する錠前シリンダー。
【請求項４】
ピニオンシリンダーが、向かい合ったピニオンの歯を含んでおり、該歯が、ボルトを施錠ポジションへとおよび施錠ポジションからスライドさせるためのラックと噛み合うように設計されている、請求項１記載のドリルに抗する錠前シリンダー。
【請求項５】
軸方向のピン穴が、ハウジングの中心軸から一定の半径において、互いに等距離に位置し、それによって、シリンダーが複数の回転ポジションにおいて施錠されることが可能となっている、請求項１記載のドリルに抗する錠前シリンダー。
【請求項６】
さらに、着脱可能な鍵を含んでいる、請求項１記載のドリルに抗する錠前シリンダー。
【請求項７】
着脱可能な鍵が、当該錠前シリンダーを解錠するために必要な機械的な組合せを変えるための、異なる厚さの複数の鍵コンビネーションディスクを含んでいる、請求項６記載のドリルに抗する錠前シリンダー。
【請求項８】
ピンが、鍵のレセプタクル内に固定されているセグメントに接続されている、請求項６記載のドリルに抗する錠前シリンダー。
【発明の詳細な説明】
【技術分野】
【０００１】
本発明は、概しては、改良されたロック機構に関し、とりわけ、ドリルやピックを用いて錠前シリンダーを破ろうとする試みに対して抵抗する、改良された錠前シリンダーに関する。
【背景技術】
【０００２】
背景
住宅および会社を不法な侵入および窃盗から安全に保つことは、何百年もの間、重要な社会的課題であった。セキュリティ装置が、現在、数十億ドル産業に相当するように、その課題は今日も続いている。多くの成長著しいセキュリティビジネスの在庫品は、種々の精巧なドアおよび窓の錠前(lock)を含んでいる。犯罪活動に打ち勝つための多くの努力と同様に、自身の住宅および会社を安全に保とうと試みる、法律を守る国民は、犯罪者の最新の技術的ツールの一歩先を行くことを強いられている。
【０００３】
ドアおよび窓におけるデッドボルトのような精巧かつ強固な錠前は、しばしば、屋敷を十分に護るための必需品とみなされる。泥棒が、そのような錠前をピッキングしたり破ることに、より巧みになるにつれて、錠前の製造業者は、消費者需要によって、これまでには無く、かつ、より精巧な錠前を製造するように駆り立てられる。さらに、多くの保険会社は、現在、貴重品を安全に保つために最新の技術を利用することを選択した顧客には、割引または値下げを慣例的に提供している。
【０００４】
映画および警察テレビ番組は、錠前および警報システムを突破するために、犯罪者に利用される最新の技術を頻繁に表示する。例としては、低費用かつ小型なコードレスドリルの出現が、多くの異なる強固な錠前を速やかに破るための効果的な方法として、警察ドラマにおいて非常に多くの回数放映されてきた。そのような幅広いメディアへの露出は、何百万の人に、そのような錠前の脆弱性を教示している。従って、錠前シリンダーの奥へと向けられかつコードレスドリルによって駆動される硬化鋼ドリルビットが、人目を忍んでかつ速やかに、多くの従来型の錠前のピンの向きを変え、該錠前を容易に開け得るということに、現在、大部分の犯罪者が気付いている。
【０００５】
錠前に含まれる現存のアンチドリルの特徴は、多くの場合、不十分である。例えば、いくつかの従来型の錠前シリンダーの前面(front face)上に配置されたアンチドリルディスクは、該ディスクに対してドリルビットが置かれた場合に、スピンするように設計されている。しかしながら、該ディスクは、多くの場合、該ディスクを定位置にロックし次いで穴あけすることをもたらす大きな高速ビットによって破られ得る。
【０００６】
他のアンチドリル錠前の特徴部分は、単一錠前の正面にのみ利用可能であり、従って、ドアや窓の両側に１つずつである、２つの鍵アクセスポイントを含んだデッドボルト錠前での実施には実用的ではない。
【０００７】
従って、種々のタイプの錠前に応用され得、かつ、ドリル穴あけ(drilling)に対して大いに効果的であり、かつ、２つの側からの鍵のアクセスを有するデッドボルト錠前での使用のためにも実用的であるアンチドリル特徴部分を含んだ、改良された錠前シリンダーへの要求がある。
【発明の開示】
【０００８】
発明の目的
本発明の一つの目的は、背景部分において説明したように、錠前シリンダーをドリル穴あけまたはピッキングによって破ることに対して脆弱である、施錠機構の一以上の問題を解決することである。
【０００９】
該発明のさらなる目的は、公知の先行技術に対する有用な代替物を提供することである。
【００１０】
発明の概要
一つの形態では、ただしそれは唯一のまたは実際に最も広い形態でなくてもかまわないが、本発明は、ドリルに抗する錠前シリンダーに与えられており、該シリンダーは：中心軸を有するシリンダーハウジングを有し；該中心軸に沿って、シリンダーハウジングの内側に位置する２つのピニオンシリンダーを有し；該中心軸に沿って、２つのピニオンシリンダーの間に位置するコンビネーションピンシリンダーを有し、該コンビネーションピンシリンダーおよび各ピニオンシリンダーは、それらを通る軸方向のピン穴を含んでおり；コンビネーションピンシリンダーおよびピニオンシリンダーの中の軸方向の穴の内側に位置するピンを有し、それによって、２つの剪断線が、前記ピニオンシリンダーの軸方向の端部に沿って確定している。
【００１１】
いくつかのピンは、可変長のものであってもよく、それによって、対応する可変長さのピンを有する鍵がハウジングの軸方向端部において挿入されることが可能になっており、かつ、それによって、２つの剪断線に沿って該ピンが揃い、それによって、当該シリンダーは、解錠された配置形態(configuration)に置かれている。
【００１２】
当該シリンダーは、また、ハウジングのドリル穴あけを思いとどまらせるために、シリンダーハウジングの一方の端部にアンチドリルディスクを含んでいてもよい。
【００１３】
ピニオンシリンダーは、向かい合ったピニオンの歯を含んでいてもよく、該歯は、ボルトを施錠ポジションへとおよび施錠ポジションからスライドさせるためのラックと噛み合うように設計されている。
【００１４】
軸方向のピン穴は、ハウジングの中心軸から一定の半径において、互いに等距離に位置していてもよく、それによって、シリンダーが複数の回転ポジションにおいて施錠されることが可能となる。
【００１５】
当該シリンダーは、安全の目的のために、当該シリンダーに固定され得る着脱可能な鍵を含んでいてもよい。
【００１６】
着脱可能な鍵は、当該錠前シリンダーを解錠するために必要な機械的な組合せを変えるための、異なる厚さの鍵コンビネーションディスクを含んでいてもよい。
【００１７】
本発明のさらなる特徴および利点は、以下の詳細な説明に基づいて、当業者に明らかとなる。
【００１８】
本発明が容易に理解されかつ実用的な効果を発揮するために、添付図面を参照して説明するように、好ましい実施形態について今から言及する。その中で、同じ参照番号は、同じ要素を示している。
【発明を実施するための最良の形態】
【００１９】
好ましい実施形態の詳細な説明
本発明の実施形態は、主として、ドリルに抗する(drill resistant)錠前シリンダーに関連した装置の構成部品の組合せにある。従って、当該装置の構成部品は、図面中に簡潔な概略形態で図解されており、本発明の実施形態を理解するのに必要であるが、本説明の利益を享受する技術分野の当業者にとって既に明白である余分な詳記によって当該開示を不明瞭にしないように、特定の詳細のみを示している。
【００２０】
本明細書では、第一および第二、左および右、上部および底部、並びに同様のような形容詞は、実際のそのような関係または順番を必ずしも必要としたりあるいは意味することなく、単に一要素または動作を、別の要素または動作から識別するために利用されてもよい。「有する(comprises)」または「含む(includes)」のような単語は、排他的でない包含を定義することを意図しており、要素のリストを有する、プロセス、方法、物品または装置が、それらの要素のみを含むのではなく、そのような、プロセス、方法、物品または装置に本来備わっている要素を含んで、明示的にリストに挙げられていない他の要素を含んでいてもよい、ということである。
【００２１】
図１を参照すると、本発明の好ましい実施形態に従って、デッドボルト錠前シリンダー１００の部分断面を図解している概略図がそこにある。シリンダー１００は、中心軸を有するシリンダーハウジング１０５と、アンチドリルディスク１１０と、外側のピニオンシリンダー１１５と、コンビネーションピンシリンダー(combination pin cylinder)１２０と、内側のピニオンシリンダー１２５と、一定長のコンビネーションピン１３０と、可変長のコンビネーションピン１３５と、内側の着脱可能な鍵１４０と、鍵カラー(key collar)１４５と、鍵ナット１５０と、鍵コンビネーションピン１５５と、圧縮ばね１６０と、ワッシャー１６５と、圧縮リング１７０と、第一のロッキングリング(locking ring)１７５と、第二のロッキングリング１８０とを含んでいる。
【００２２】
アンチドリルディスク１１０は、比較的大口径のドリルによって全体のシリンダー１００をドリル穴あけして破壊する試みが少しでもなされた際に、ハウジング１０５中で回るように設計されている。そのような状況においては、ドリルビットがアンチドリルディスク１１０に結合し、シリンダー１００内への該ビットのドリル穴あけを阻止する。一定長のコンビネーションピン１３０は、該ピン１３０が、外側の剪断線(shear line、ずれライン)１８５および内側の剪断線１９０を越えて位置した場合に、外側および内側のピニオンシリンダー１１５、１２５（これらはハウジング１０５の中心軸に沿って配置されている）を、コンビネーションピンシリンダー１２０にロックさせるように設計されている。可変長のコンビネーションピン１３５は、ピニオンシリンダー１１５、１２５の内部に位置しており、鍵コンビネーションピン１５５によって各可変長のコンビネーションピン１３５の端部に軸方向の力が加えられたかどうかに応じて、一定長のコンビネーションピン１３０を、施錠された(locked)または解錠された(unlocked)配置形態のいずれかに位置させるのに用いられる。本発明の他の実施形態によれば、鍵コンビネーションピン１５５が突き当たる可変長のコンビネーションピン１３５の端部は、鍵コンビネーションピン１５５の直径よりも小さな直径を有するピックを用いてシリンダー１００をピッキングする試みがなされるならば、偽の音出し(false sounding)を提供するようにくり抜かれてもよい。
【００２３】
一定長のコンビネーションピン１３０が、両方の剪断線１８５、１９０（両方、外側のピニオンシリンダー１１５とコンビネーションピンシリンダー１２０との間、および、内側のピニオンシリンダー１２５とコンビネーションピンシリンダー１２０との間にある）に沿って切れ目(gap)を作るように位置する場合、内側および外側のピニオンシリンダー１１５、１２５は回転することができ、従って、ピニオンの歯１９５の移動が生じる。
【００２４】
鍵コンビネーションピン１５５は、着脱可能な鍵１４０の端部に固定されている。着脱可能な鍵１４０は、次いで、鍵カラー１４５に係合する鍵ナット１５０を用いて、シリンダー１００上へと通されてもよい。
【００２５】
内側のピニオンシリンダー１２５と圧縮リング１７０との間の摩擦を緩和するのに、ワッシャー１６５が用いられる。コンビネーションピンシリンダー１２０と、内側および外側のピニオンシリンダー１１５、１２５との間に、比較的一定の圧力を維持するように、圧縮リング１７０に圧力をかけるために、第一のロッキングリング１７５が用いられる。第一のロッキングリング１７５を定位置に固定するために、第二のロッキングリング１８０が用いられる。
【００２６】
図２Ａ〜２Ｃを参照すると、内側のピニオンシリンダー１２５の第一の端面図（図２Ａ）、第二の端面図（図２Ｂ）、および、側面図（図２Ｃ）を図解している概略図がそこにある。図２Ａは、６軸の微小ピン穴(micro pinholes)２０５を示しており、鍵コンビネーションピン１５５が、そこを通ってスライドする。また、切欠き２１０が示されており、これは、錠前シリンダー１００の組立ての間に、微小ピン穴２０５を一線上にそろえるために用いられる。内側および外側のピニオンシリンダー１１５、１２５を、固定された回転関係へと動かないようにするために、四角穴２１５が用いられる。図２Ｂは、ピニオンの歯１９５、および、６軸のコンビネーションピン穴２２０を示しており、該穴を通って可変長のコンビネーションピン１３５、一定長のコンビネーションピン１３０、および、鍵コンビネーションピン１５５がスライドする。コンビネーションピン穴２２０は、概しては、微小ピン穴２０５の直径よりも大きな直径である。コンビネーションピン穴２２０および微小ピン穴２０５は、両方とも、好ましくは、互いに等距離であってかつシリンダー１１５、１２０、１２５の中心から一定の半径に位置しており、それによって、以下にさらに説明されるように、該シリンダー１００が非常に多くの改定位置において施錠されることを可能とする。図２Ｃは、内側のピニオンシリンダー１２５のより詳細な側面図である。
【００２７】
当業者は、上で説明した本発明の革新的な特徴を認識するだろう。具体的には、外側および内側の剪断線１８５、１９０は、シリンダー１００に追加の施錠セキュリティを提供しながらも、同時に、内側の着脱可能な鍵１４０または外側の鍵（図示せず）のどちらかを用いて、シリンダー１００を解錠することを可能にする。さらに、アンチドリルディスク１１０および可変長のコンビネーションピン１３５は、ドリル穴あけを通じて錠前を破ろうとする試みに対して、二重の防御を提供する。上で議論したように、アンチドリルディスク１１０は、全体の錠前シリンダー１００をドリル穴あけして破壊しようとする比較的大口径のドリルビットへの妨害物である。同様に、可変長のコンビネーションピン１３５は、各コンビネーションピン穴２２０をドリル穴あけして破壊しようとする比較的小口径のドリルビットへの妨害物である。可変長のコンビネーションピン１３５の外側の端部に対して置かれたそのような小口径のドリルビットは、ピン１３５を単にそれぞれのコンビネーションピン穴２２０中で回転させ、そしてそのために、ドリル穴あけの進行はなされ得ない。
【００２８】
非常に細い道具のみが微小ピン穴２０５を通じて可変長のコンビネーションピン１３５にアクセス可能ができるので、コンビネーションピン穴２２０と比べて微小ピン穴２０５の比較的小さな直径は、また、シリンダー１００をピッキングでより攻撃され難くしている。錠前シリンダー１００が、外側の鍵によって外側から操作されることを可能とするために、類似の微小ピン穴２０５がアンチドリルディスク１１０上に存在する（ただし、図面には示さず）。そのような外側の鍵は、好ましくは、内側の着脱可能な鍵１４０と類似しているが、内側の鍵が火災安全の目的でシリンダー１００にそれを固定する手段が必要であるのに対し、概して外側の鍵はそのような手段を必要としないため、カラー(collar)１４５は不要である。また、留意すべきは、着脱可能な鍵１４０が内側からも外側からもシリンダー１００を解錠するように、ピニオンシリンダー１１５、１２５の両方の内部の可変長のコンビネーションピン１３５が設計され得ることである。
【００２９】
さて図３Ａを参照すると、施錠された配置形態における可変長のコンビネーションピン１３５と一定長のコンビネーションピン１３０とを含む単一のコンビネーションピン穴２２０の拡大側面を図解している概略図がそこにある。その配置形態が施錠されているのは、一定長のコンビネーションピン１３０が剪断線１８５、１９０を横切っており、それが、コンビネーションピンシリンダー１２０に対する、内側および外側のピニオンシリンダー１１５、１２５の回転を防いでいるからである。コンビネーションピンシリンダー１２０は、錠前シリンダー１００に固定されており（以下に説明するように）、従って、図３Ａに示した施錠された配置形態は、ピニオンシリンダー１１５、１２５のあらゆる全体的動作を妨げる。その施錠された配置形態は、２つの保持スプリング３０５（一方のスプリング３０５は、各ピニオンシリンダー１１５、１２５の各ピン穴２２０中に位置している）からの等しくかつ対抗する力によって維持される。それゆえに、そのような施錠された配置形態は、錠前シリンダー１００の外側または内側の端部のいずれかに鍵が挿入されていない場合に維持される。
【００３０】
図３Ｂを参照すると、そこには、解錠された配置形態になっている、可変長のコンビネーションピン１３５と、一定長のコンビネーションピン１３０とを含む、単一のコンビネーションピン穴２２０の拡大側面を図解している概略図がある。ここでは、鍵コンビネーションピン１５５が、左方の可変長のコンビネーションピン１３５に対して押し付けられ、それが、順に、一定長のコンビネーションピン１３０を、そのピン１３０の端部が剪断線１８５、１９０と揃う(align)まで、右にスライドさせる。すると、内側および外側のピニオンシリンダー１１５、１２５は、コンビネーションピンシリンダー１２０と錠前シリンダー１００とに対して自由に回転することができるようになる。留意すべきは、ピン１３０がそのような解錠された配置形態に維持された場合、右方の保持スプリング３０５は圧縮され、そのため鍵コンビネーションピン１５５が取り除かれた場合には、右方の保持スプリング３０５が、ピン１３０を、図３Ａ中に示される施錠された配置形態にて均衡に再び達するまで、左へ押し戻すということである。また留意すべきは、本発明のドリルに抗するおよびピックに抗する特徴を改良すること、および、鍵コンビネーションピン１５５の必要な長さを減じること、これら両方のために、可変長のコンビネーションピン１３５が用いられるということである。
【００３１】
図４を参照すると、そこには、追加の要素および特徴を含む錠前シリンダー１００の、いくつかの構成部品の分解斜視図を図解している概略図がある。アンチドリルディスク１１０にある位置決めスロット４０５が、鍵コンビネーションピン１５５と外側のピニオンシリンダー１１５との正確な位置合わせ(alignment)を保証するために用いられる。また、四角の中心シャフト４１０が示されており、該シャフトは、内側および外側のピニオンシリンダー１１５、１２５内にある四角穴２１５を用いて、内側および外側のピニオンシリンダー１１５、１２５を一緒に固定された回転関係になるようロックするために用いられる。留意すべきは、コンビネーションピンシリンダー１２０内の穴４１５が、シャフト４１０に対するコンビネーションピンシリンダー１２０の回転を可能にしていることである。シリンダー１２０上の平らの部分４２０は、デッドボルト６１０のラック端部（図６参照）が、該シリンダー１２０にぶつからないことを保証する。また、中空プラグ４２５が図解されており、そのうちの一つは、各微小ピン穴２０５の内へと挿入されており、それが、シリンダー１００の組み立ての間に、コンビネーションピン１３０、１３５および保持スプリング３０５が微小ピン穴２０５中へと装填されることを可能にしており、しかし、シリンダー１００の使用中には、該スプリング３０５を保持することを助ける。中空プラグ４２５は、また、アンチドリルディスク１１０が外側のピニオンシリンダー１１５に対して回るような状況においては、保持スプリング３０５を防御する。
【００３２】
図５Ａを参照すると、そこには、コンビネーションピンシリンダー１２０の端面を図解している概略図がある。ネジ山を切られた穴５０５がシリンダー１２０に含まれており、該穴は、シリンダー１２０をハウジング１０５に固定することを補助するためのものであって、それは、ハウジング１０５を通って該穴５０５中へとねじ込まれる止めネジ６５５（図６参照）を用いることによって達成され得る。図５Ｂを参照すると、そこには、図５Ａに示されたピニオンシリンダー１２５およびコンビネーションピンシリンダー１２０の相対的な直径を示す目的で、内側のピニオンシリンダー１２５のさらなる端面を図解している概略図がある。図５Ｂは、また、ピニオンシリンダー１１５、１２５上のピニオンの歯がコンビネーションピンシリンダー１２０と重なる(overlap)ことを示している。
【００３３】
本発明の具体的な実施形態に従って上で説明した錠前シリンダー１００は、それゆえに、ドアおよび窓のような種々のタイプの囲い（エンクロージャー）の任意のものを施錠するのに用いられてもよい。しかしながら当業者は、本発明が内側および外側のピニオンシリンダー１１５、１２５のピニオンの歯１９５と噛み合うことのできる任意の型の施錠機構での利用に適応可能であることを認識するだろう。ドア用の標準的なデッドボルト錠前の一つの具体的な例を、以下に説明する。
【００３４】
図６を参照すると、そこには、デッドボルトハウジングアセンブリ６００の分解斜視図を図解している概略図がある。該アセンブリ６００は、保持板(retaining plate)６０５、デッドボルト６１０、およびボルトハウジング６１５を含んでいる。ハウジング６１５は、錠前シリンダー１００を受け入れるための大きなシリンダー穴６２０を含んでいる。ハウジング６１５は、さらに、デッドボルト６１０を受け入れるための、より小さなボルト穴６２５を含んでいる。
【００３５】
デッドボルト６１０は、ラック端部６３０を含んでおり、該端部はラック歯６３５を含んでいる。デッドボルトハウジングアセンブリ６００および錠前シリンダー１００が一緒に組み立てられた場合、シリンダー１００は、ハウジング６１５と直角に配置され、かつ、該ハウジング６１５は、内側および外側のピニオンシリンダー１１５、１２５のピニオンの歯１９５がデッドボルト６１０のラック歯６３５とぴったり合うように、シリンダー１００の中心軸にそって設置される。ハウジング６１５に対する内側および外側のピニオンシリンダー１１５、１２５の回転運動は、それによって、ボルト穴６２５の中心軸に沿ったデッドボルト６１０の並進運動(translational movement)をひき起こす。
【００３６】
錠前シリンダー１００の操作の間に、ボルト６１０がハウジング６１５から遠過ぎるところまで動くことを防ぐため、保持板６０５が用いられる。デッドボルト６１０がハウジング６１５から外に出過ぎてしまった状況においては、肩６６０が保持板６０５に接触する。保持板６０５は、ネジ６３７によってハウジング６１５に固定され、該ネジは、穴６４０を通して配置されそして穴６４５内へとねじ込まれる。ハウジング６１５にある穴６５０は、止めネジ６５５を受け入れ、該止めネジは、シリンダーハウジング１０５を通り、そしてコンビネーションピンシリンダー１２０の穴５０５の一つ（ハウジングアセンブリ６００に対するシリンダー１２０の向きに依存する）の中へとねじ込まれ、それによってシリンダーハウジング１０５、ボルトハウジング６１５およびコンビネーションピンシリンダー１２０を一緒に堅く連結させる。
【００３７】
図７Ａを参照すると、錠前シリンダー１００から取り外された、内側の着脱可能な鍵１４０の実施形態の斜視図を図解している概略図がそこにある。留意すべきは、ここに示された実施形態は、図１に示された実施形態とは異なることである。鍵１４０は、鍵チェーンのための穴７０５と、該鍵１４０の端部から延びている複数の鍵コンビネーションピン１５５を含んでいる。ピン１５５は、カバー７２０の内側にはめ込まれたレセプタクル７１５中に固定されるセグメント７１０と接続されていてもよい。セグメント７１０は、所定のピン長さで特徴付けることができ、よって、該セグメント７１０の交換を通じて、鍵コンビネーションの簡単な作り直しを可能とする。
【００３８】
着脱可能な鍵１４０は、追加の利便性および安全性を提供しており、それは、当該鍵１４０が鍵ナット１５０を用いて錠前シリンダー１００に固定されている場合に、該シリンダー１００を施錠されたまたは解錠された配置形態へ固定するのを可能とすることによって提供される。内側の錠前から鍵が取り除かれていたために、デッドボルトドアに閉じ込められた間に、多くの人が煙または炎によって死んでいる。鍵ナット１５０は、錠前シリンダーがいつでも簡単に解錠され得るように、本発明の着脱可能な鍵１４０が錠前シリンダー１００に固定されることを可能とする。いくつかの先行技術のデッドボルト錠前は、住宅所有者に対して、内側の鍵を、錠前内に単純に残しておくように奨励するが、しかしながら、先行技術の鍵は、例えばドアの運動の途中に簡単に錠前から外に落ちて紛失され得るために、そのような習慣は、鍵ナット１５０の利用よりも危険である。鍵ナット１５０は、鍵１４０が錠前シリンダー１００にしっかりと取り付けられ得ることを保証する。もちろん鍵１４０はまた、施錠された屋敷が未使用のままにされている場合のように、使用者が追加のセキュリティを必要とする場合、シリンダー１００から簡単に取り外される。
【００３９】
鍵１４０をシリンダー１００に取り付ける代替の手段、および鍵ナット１５０を鍵１４０に組み込むための手段を含めて、着脱可能な鍵１４０の種々の代替の実施形態が本発明の範囲内であることを、当業者は認識するだろう。
【００４０】
さらに、着脱可能な鍵１４０が錠前シリンダー１００に取り付けられた場合、コンビネーションピン１５５の先端は微小ピン穴２０５の中に存在するが、シリンダー１００は施錠された配置形態であり続け得るということを、当業者は認識するだろう。それは、ナット１５０が、鍵１４０をシリンダー１００内に着座させない(unseated)ように設計され得るからであり、よって、シリンダー１００を解錠するには、ばね１６０の力に逆らって、錠前が「ホーム」へと押される必要がある。例えば、保険会社が頻繁に、デッドボルトを、該デッドボルトの端部に軸方向に力が加えられた場合に、軸方向の移動に抗する錠前ボルトであるとして、定義していることを考慮されたい。本発明のデッドボルト６１０は、図６に示されるように、鍵１４０がシリンダー１００から取り除かれるか、上で説明したような着座していないポジションのまま残された場合に、その定義を満足する。それはなぜなら、ボルト６１０をハウジング６１５中へ押し込むことを試みて、図６に示したボルト６１０の左端部に軸方向の力を加えると、ラック歯６３５がピニオンの歯１９５に抗して結合し、順に、一定長のコンビネーションピン１３０がコンビネーションピンシリンダー１２０に抗して結合し、該ボルト６１０の軸方向の移動を妨げるからである。
【００４１】
本発明の代替の実施形態では、鍵１４０がシリンダー１００内に固定されている場合、一定長のコンビネーションピン１３０が、剪断線１８５、１９０と揃い（図３Ｂ中に示されるように）、ボルト６１０がハウジング６１５のボルト穴６２５の中で自由に「浮動する(float)」ことができる。従って、錠前シリンダー１００のピニオンシリンダー１１５、１２５は解錠され得るが、ボルト６１０は、なお、「施錠」ポジションに延びていてもよい。本発明のその特徴は、ボルト６１０上への軸方向の力を用いた便利な開錠や、ピニオン歯１９５と噛み合う他の施錠機構を、施錠デバイスが必要とするというような利用法において有用である。
【００４２】
図７Ｂを参照すると、２つの鍵コンビネーションピン１５５（他のピン１５５は示さず）を含む、着脱可能な鍵１４０の横断面を図解している概略図がそこにある。具体的には、図７Ｂは、鍵コンビネーションピン１５５が、概しては、様々な長さであることを示している。留意すべきは、図７Ｂの上半分に示されたピン１５５は、図７Ｂの下半分に示されたピン１５５よりも長いということである。鍵コンビネーションピン１５５の可変長さは、錠前シリンダー１００が、当該シリンダー１００を固定するために用いられる組合せの数を無限に含むことを可能にする。該組合せ(combinations)は、例えば、任意のピン１５５の数、ピンの長さ、および、鍵１４０上のピン１５５のポジション、および、ピニオンシリンダー１１５、１２５上でそれらに対応するピン穴２２０のポジションを含んでいてもよい。
【００４３】
図７Ｂはまた、鍵コンビネーションディスク７２５を図解しており、該ディスクは、鍵コンビネーションピン１５５の長さをさらに変えるのに用いられてもよい。外側からシリンダー１００にアクセスする場合、着脱可能な鍵１４０がアンチドリルディスク１１０を通して挿入され、それは、鍵コンビネーションディスク７２５がアンチドリルディスク１１０に接触して、鍵コンビネーションピン１５５が該ディスク１１０を通って延びるまで行なわれる。シリンダー１００に対する鍵１４０の軸方向のポジションが、一定長のコンビネーションピン１３０が剪断線１８５、１９０と一線上に揃っている場合においてのみ、ピニオンシリンダー１１５、１２５が回ることを許容する。従って、もし鍵コンビネーションディスク７２５が鍵１４０から取り除かれ、そしてその鍵１４０がディスク１１０に対して再び配置されたとしたら、鍵コンビネーションピン１５５は長過ぎとなり、シリンダー１００は施錠されたままとなる。そのような様々な厚さの鍵コンビネーションディスク７２５を用い、それに応じて可変長のコンビネーションピン１３５の長さを変えることは、それゆえに、シリンダー１００を解錠するのに必要な機械的組合せを変えるための別の有用な技術である。鍵コンビネーションディスク７２５は、磁力または他の手段を用いて鍵１４０に固定されてもよい。
【００４４】
図８を参照すると、錠前シリンダーハウジング１０５の分解斜視図を図解している概略図がそこにある。ハウジング１０５は、例えばワッシャー８０５、ナット８１０、および施錠ナット８１５を用いて、ドアに簡単に固定され得る。また、穴８２０も示しており、それらのうちの１つが（ハウジングアセンブリ６００に対するシリンダーハウジング１０５の向きに依存して）止めネジ６５５を受け入れ、該ネジは、穴６５０内に配置され、そして、コンビネーションピンシリンダー１２０の穴５０５内へとねじ込まれ、それによって、コンビネーションピンシリンダー１２０と、シリンダーハウジング１０５と、ボルトハウジング６１５とを、一緒に堅固に接続する。
【００４５】
本発明の構成部分が、代替的な材料も用いられ得るが、高強度の金属によって製造されるのが好ましいことを、当業者は認識するだろう。例えば、鍵１４０は、軽量、高強度なプラスチックが高強度の金属のコンビネーションピン１５５を包んでなるものが好ましい。アンチドリルディスク１１０は、好ましくは、タングステンまたは高強度鋼からなる。
【００４６】
上記の開示は、実例であり、完全ではないことを意図する。開示は、多くのバリエーションおよび代替物を当業者に示唆するだろう。これらの全ての代替物およびバリエーションは、本クレームの範囲内に含まれることを意図し、そこで単語「有する(comprising)」とは、「含み(including)、しかしそれには限定されない」ことを意味する。当分野になじみのある者は、本明細書中に説明されている具体的な実施形態の他の同等物を認識するかもしれず、それの同等物もまたクレームによって包含されることを意図する。さらに、該発明が、独立クレームの特徴の他の全ての可能な組合せを有する他の実施形態をもまた具体的に対象とするように認識されるように、独立クレームにおいて述べられている具体的な特徴は、該発明の範囲内での他の様式において、互いに組合され得る。
【図面の簡単な説明】
【００４７】
【図１】図１は、デッドボルト錠前シリンダーの部分断面を示す概略図である。
【図２Ａ】図２Ａ〜２Ｃは、それぞれ、内側のピニオンシリンダーの第一端面、第二端面、および側面を示す概略図である。
【図２Ｂ】図２Ａ〜２Ｃは、それぞれ、内側のピニオンシリンダーの第一端面、第二端面、および側面を示す概略図である。
【図２Ｃ】図２Ａ〜２Ｃは、それぞれ、内側のピニオンシリンダーの第一端面、第二端面、および側面を示す概略図である。
【図３Ａ】図３Ａは、施錠された配置形態にあるピンを含んだ、単一のコンビネーションピン穴の拡大側面を示す概略図である。
【図３Ｂ】図３Ｂは、解錠された配置形態にあるピンを含んだ、単一のコンビネーションピン穴の拡大側面を示す概略図である。
【図４】図４は、錠前シリンダーの構成部品の分解斜視図を示す概略図である。
【図５Ａ】図５Ａは、コンビネーションピンシリンダーの端面を示す概略図である。
【図５Ｂ】図５Ｂは、内側のピニオンシリンダーの端面を示す概略図である。
【図６】図６は、デッドボルトハウジングアセンブリの分解斜視図を示す概略図である。
【図７Ａ】図７Ａは、内側の着脱可能な鍵の斜視図を示す概略図である。
【図７Ｂ】図７Ｂは、内側の着脱可能な鍵の横断面を示す概略図である。
【図８】図８は、錠前シリンダーハウジングの分解斜視図を示す概略図である。
【図１】
2008512583.tif 000003
【図２Ａ】
2008512583.tif 000004
【図２Ｂ】
2008512583.tif 000005
【図２Ｃ】
2008512583.tif 000006
【図３Ａ】
2008512583.tif 000007
【図３Ｂ】
2008512583.tif 000008
【図４】
2008512583.tif 000009
【図５Ａ】
2008512583.tif 000010
【図５Ｂ】
2008512583.tif 000011
【図６】
2008512583.tif 000012
【図７Ａ】
2008512583.tif 000013
【図７Ｂ】
2008512583.tif 000014
【図８】
2008512583.tif 000015
【国際調査報告】
2008512583.tif 000016
2008512583.tif 000017